(57)【要約】【課題】所定の遊技機性能情報が視覚的に表示された遊技盤等を、異なる性能の機種に対して再利用することが容易な遊技機を提供する。【解決手段】本発明に係る遊技機は、遊技球が転動流下する遊技領域２ａを有する遊技盤２と、遊技領域２ａの外周に配置されたガイドレール３０と、ガイドレール３０の一部として設けられ、所定の情報が視覚的に表示されたラベルシート５０の貼着が可能な貼着ベース４２とを備え、貼着ベース４２は、ラベルシート５０の端部の少なくとも一部を貼着ベース４２と非接触にさせる切欠き４３が形成されたことを特徴とする。【選択図】図５
2007307147.tif 000002
【特許請求の範囲】
【請求項１】
遊技球が転動流下する遊技領域を有する遊技盤と、
前記遊技領域の外周に配置されたガイドレールと、
前記ガイドレールの一部として設けられ、所定の情報が視覚的に表示されたラベルシートの貼着が可能な貼着ベースとを備え、
前記貼着ベースには、前記ラベルシートの端部の少なくとも一部を貼着ベースと非接触にさせる切欠き部が形成された、
ことを特徴とする遊技機。
【請求項２】
前記ガイドレールは、前記遊技領域の外周に沿って転動する遊技球の転動方向を変更させる転動方向変更部材を有し、
前記貼着ベースは、前記転動方向変更部材に設けられた、
ことを特徴とする請求項１記載の遊技機。
【請求項３】
前記転動方向変更部材は、遊技領域の右側上部に配置された、
ことを特徴とする請求項２記載の遊技機。
【請求項４】
遊技者の発射操作により前記遊技領域に向けて遊技球を発射する発射手段を備え、
前記ガイドレールは、前記発射手段により発射された遊技球を前記遊技領域へと案内する球誘導通路を形成する発射レール部と、前記転動方向変更部材を含むサイドレール部とを組み合わせて構成される、
ことを特徴とする請求項１〜３の何れか一項に記載の遊技機。
【請求項５】
前記貼着ベースにおける前記ラベルシートの貼着面の外周の少なくとも一部には、
少なくとも一部がラベルシートに被覆される凸部が設けられた、
ことを特徴とする請求項１〜４の何れか一項に記載の遊技機。
【請求項６】
前記凸部は、前記切欠き部に沿って設けられた、
ことを特徴とする請求項５記載の遊技機。
【発明の詳細な説明】
【技術分野】
【０００１】
本発明は、遊技機に関し、特に遊技機性能情報が視覚的に表示された遊技機に関するものである。
【背景技術】
【０００２】
パチンコ遊技機は、型式名、入賞による獲得遊技球数、大当りの当選確率等の情報（以下、「遊技機性能情報」という）を、遊技者による視認が可能な位置に表示する義務が課せられている。
【０００３】
そのため、従来のパチンコ遊技機は、遊技盤の前面における化粧板等に、上記遊技機性能情報を直接表示していた。
【０００４】
しかしながら、この従来の遊技機性能情報の表示形態では、次のような問題がある。すなわち、遊技盤に直接表示する形態では、化粧板を含むその遊技盤自体がその遊技機性能を備えた遊技機専用のものとなってしまい、共通部品として使用できないという問題である。
【０００５】
そのため、ガイドレールの一部である戻り球阻止手段の前側に、当該機種固有の遊技機性能情報が記載されたラベルシートが貼着された遊技機も登場している（例えば、特許文献１参照）。
【０００６】
特許文献１の遊技機によれば、固有の遊技機性能情報が記載されたラベルシートを剥がしさえすれば、遊技盤やガイドレール等を、異なる性能の機種に対して再利用することが可能となる。
【特許文献１】特開２００２−８１５号公報
【発明の開示】
【発明が解決しようとする課題】
【０００７】
しかしながら、特許文献１の遊技機におけるラベルシートは、接着材等により接着されているので、当該ラベルシートを剥がす際には、ラベルシートの端部と戻り球阻止手段との間に隙間を作り、そしてその隙間に爪を入れて剥がす等の手間をかけねばならなかった。  そのため、特許文献１の遊技機では、このラベルシートの引き剥がし作業が、遊技盤やガイドレール等を異なる性能の機種に対して再利用することを困難にしてしまう虞があった。
【０００８】
なお、同一性能の遊技機間であれば、このラベルシートを引き剥がさずとも遊技盤やガイドレール等を再利用することは確かに可能であるが、しかしながらこの手法は、同一性能の遊技機間でしか通用せず、実用性は低い。
【０００９】
そこで、本発明は、所定の遊技機性能情報が視覚的に表示された遊技盤等を、異なる性能の機種に対して再利用することが容易な遊技機を提供することを目的とする。
【課題を解決するための手段】
【００１０】
上記課題を解決するため、請求項１に記載の本発明の遊技機は、遊技球が転動流下する遊技領域（遊技領域２ａ）を有する遊技盤（遊技盤２）と、遊技領域の外周に配置されたガイドレール（ガイドレール３０）と、ガイドレールの一部として設けられ、所定の情報が視覚的に表示されたラベルシート（ラベルシート５０）の貼着が可能な貼着ベース（貼着ベース４２）とを備え、貼着ベースは、ラベルシートの端部の少なくとも一部を貼着ベースと非接触にさせる切欠き部（切欠き４３）が形成されたことを特徴とする。
【００１１】
本構成によれば、貼着ベースには、ラベルシートの端部の少なくとも一部を非接触にさせる切欠き部が形成されているので、所定の情報（例えば、遊技機性能情報等）が視覚的に表示されたラベルシートを貼着ベースに貼着した場合には、当該ラベルシートの端部の少なくとも一部を、貼着ベースと非接触にさせることができる。
【００１２】
この場合、貼着ベースとラベルシートの端部の一部との間には、初めから隙間が形成されるようになるので、ラベルシートを剥がすための隙間を作る手間を省くことができ、ラベルシートの引き剥がし作業を容易にすることができる。
【００１３】
このように、本発明では、遊技機性能情報が視覚的に表示されたラベルシートの引き剥がし作業が容易となっているので、当該所定の遊技機性能情報が視覚的に表示された遊技盤等を、異なる性能の機種に対して再利用することが容易となる。
【００１４】
さらに、本構成によれば、ラベルシートが貼着される貼着ベースは、遊技領域の外周に配置されたガイドレールの一部に設けられているため（つまり、貼着ベースは、遊技盤の比較的外側に位置しているため）、遊技盤の外枠を把持する手の指が当該貼着ベースに届き易くなる。これにより、遊技盤の交換作業と、所定の遊技情報が視覚的に表示されたラベルシートの引き剥がし作業とを並行して行うことができ、遊技盤等の再利用をより容易に行うことができる。
【００１５】
請求項２に記載の本発明は、請求項１に記載の発明の構成に加えて、ガイドレールは、遊技領域の外周に沿って転動する遊技球の転動方向を変更させる転動方向変更部材（転動方向変更部材４０）を有し、貼着ベースは、転動方向変更部材に設けられたことを特徴とする。
【００１６】
本構成によれば、ラベルシートが貼着される貼着ベースは、遊技領域の外周に沿って転動する遊技球の転動方向に影響を与える転動方向変更部材に設けられているので、当該ラベルシートに視覚的に表示される遊技機性能情報が、遊技球の転動方向に注目する遊技者の目に留まり易くなる。そのため、本発明によれば、ラベルシートに視覚的に表示される遊技機性能情報を、より確実に遊技者に確認させることができる。
【００１７】
請求項３に記載の本発明は、請求項２に記載の発明の構成に加えて、転動方向変更部材は、遊技領域の右側上部に配置されたことを特徴とする。
【００１８】
本構成によれば、転動方向変更部材は、遊技領域の右側上部、すなわち、遊技機におけるガラス扉の開放端側に配置されている。すなわち、転動方向変更部材は、ガラス扉を開放して遊技盤を露出させた際において、手が届き易い位置に配置されている。そのため、当該転動方向変更部材に設けられた貼着ベースに貼着されたラベルシートの引き剥がし作業をより容易に行うことができ、所定の遊技機性能情報が視覚的に表示された遊技盤等の異なる性能の機種への再利用を、より容易に行うことができる。
【００１９】
請求項４に記載の本発明は、請求項１〜３の何れか一項に記載の発明の構成に加えて、遊技者の発射操作により遊技領域に向けて遊技球を発射する発射手段（発射ハンドル７）を備え、ガイドレールは、発射手段により発射された遊技球を遊技領域へと案内する球誘導通路（球誘導通路３５）を形成する発射レール部（外発射レール部３１，内発射レール部３２）と、転動方向変更部材を含むサイドレール部（サイドレール部３３）とを組み合わせて構成されることを特徴とする。
【００２０】
本構成によれば、ガイドレールは、遊技球の衝突が多く老朽率の高い転動方向変更部材を含むサイドレール部と、比較的遊技球の衝突が少なく老朽率の低い発射レール部とを組み合わせて構成されている。すなわち、本発明では、サイドレール部と発射レール部とは一体形成されていないため、これらサイドレール部と発射レール部とを個別に交換することが可能となる。これにより、老朽率の低い発射レール部の交換回数を抑えることができ、部品を節約することが可能となる。
【００２１】
請求項５に記載の本発明は、請求項１〜４の何れか一項に記載の発明の構成に加えて、貼着ベースにおけるラベルシートの貼着面の外周の少なくとも一部には、少なくとも一部がラベルシートに被覆される凸部（凸部４４）が設けられたことを特徴とする。
【００２２】
本構成によれば、ラベルシートの貼着面の外周の少なくとも一部には凸部が設けられている。これにより、ラベルシートの外周縁を当該凸部に沿わせて貼ることができ、ラベルシートの貼着が容易となるとともに、当該ラベルシートを本来の貼着スペースに正確に貼着することが可能となる。
【００２３】
さらに本構成によれば、当該凸部の少なくとも一部がラベルシートに被覆された場合、上記凸部と貼着面との間に形成される段差によって、ラベルシートと貼着ベースとの間に隙間を作ることができる。これにより、ラベルシートの引き剥がし作業をより容易に行うことができる。
【００２４】
請求項６に記載の本発明は、請求項５に記載の発明の構成に加えて、凸部は、切欠き部に沿って設けられたことを特徴とする。
【００２５】
本構成によれば、凸部は、切欠き部に沿って設けられているので、これにより、凸部のうち切欠き部に沿った部分がラベルシートに被覆されるようになる。この場合、当該凸部により形成される隙間と、切欠き部により形成される隙間との相乗効果によって、ラベルシートの引き剥がし作業をより容易に行うことができる。
【発明の効果】
【００２６】
本発明によれば以下の効果を奏することができる。
【００２７】
すなわち、本発明によれば、所定の遊技機性能情報が視覚的に表示された遊技盤等を、異なる性能の機種に対して再利用することが容易となる。
【発明を実施するための最良の形態】
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
図１は本実施の形態に係る遊技機を示す斜視図、図２は図１に示した遊技機の分解斜視図、図３は図２に示した遊技盤の正面図、図４は本実施の形態に係るガイドレールを示す斜視図、図５は図４に示したガイドレールの正面図、図６は本実施の形態に係るサイドレール部を示す斜視図、図７は図６に示したサイドレール部の正面図、図８は本実施の形態に係る転動方向変更部材を示す斜視図、図９は図８に示した転動方向変更部材の正面図、図１０は貼着面にラベルシートが貼着された貼着ベースを示す斜視図、図１１は貼着面にラベルシートが貼着されていない貼着ベースを示す斜視図、図１２はラベルシートの貼着時における貼着ベースを示す断面図、図１３はラベルシートの引き剥がし時における貼着ベースを示す断面図である。
【００３０】
図１および図２に示すように、パチンコ遊技機（遊技機）１は、遊技盤２（図２）が装着されるとともに、前面に開口３ａａが形成された本体枠３ａと、その本体枠３ａにおける開口３ａａの内部に配設される各種の部品と、遊技盤２の前面側を視認可能に被うガラス板４ａが嵌め込まれたガラス扉４と、本体枠３ａの後方に配置され、島設備に固定されるベース枠３ｂとから構成されている。
【００３１】
なお、本体枠３ａは、その一方端が、ヒンジ（図示せず）を介してベース枠３ｂに回動可能に取り付けられるようになっており、これら本体枠３ａおよびベース枠３ｂで遊技機本体３が構成されている。そして、このような遊技機本体３の本体枠３ａの前面には、スピーカ８ａ，８ｂ、上述したガラス扉４、皿ユニット５、および発射手段である発射ハンドル７が配設されている。
【００３２】
これらガラス扉４および皿ユニット５は、その一端が遊技機本体３に回動可能に軸支されており、他端が遊技機本体３に係合するようになっている。これにより、通常、ガラス扉４は遊技盤２の前面（主面）に対面閉鎖した状態で遊技が行われる。なお、図２においてガラス扉４は、右端が開放端となっている。
【００３３】
本体枠３ａの開口３ａａの内部には、後述するように、演出画像（例えば、遊技状態に対応したアニメーションやその他の報知情報など）等を表示可能な表示領域２１ａを有する液晶表示装置２１、スペーサ１０、遊技盤２等が配設されている。なお、遊技盤２、スペーサ１０、液晶表示装置２１以外の各種の部品（図示せず）については、理解を容易にするために説明を省略する。
【００３４】
遊技盤２は、光を透過する透光性を有する板形状の樹脂（透光性を有する部材）によって形成されている。この透光性を有する部材としては、例えば、アクリル樹脂、ポリカーボネート樹脂、メタクリル樹脂など各種の材質が該当する。また、遊技盤２は、ガラス扉４におけるガラス板４ａと対向する主面側に、発射された遊技球の転動流下が可能な遊技領域２ａを有している。この遊技領域２ａの外周には、外発射レール部（発射レール部）３１、内発射レール部（発射レール部）３２、サイドレール部３３を組合せて構成されるガイドレール３０が配置されている。ここで、サイドレール部３３の上部には、遊技領域２ａの外周に沿って転動する遊技球の転動方向を変更させる転動方向変更部材４０が設けられ、当該転動方向変更部材４０における貼着ベース４２の貼着面４５には、所定の情報（例えば、型式名、入賞による獲得遊技球数（賞球数）、大当りの当選確率等の情報。以下、「遊技機性能情報」という）が視覚的に表示されたラベルシート５０（詳しくは後述する）が貼着されるようになっている。この転動方向変更部材４０は、遊技領域２ａの右側上部に位置し、遊技領域２ａの外周に沿って転動する遊技球４００が衝突するようになっている（図９参照）。
【００３５】
遊技領域２ａは、図２乃至図４に示すように、ガイドレール３０（外発射レール部３１、内発射レール部３２、サイドレール部３３）に包囲されており、多数の遊技くぎ（図示せず）、風車（図示せず）、障害部材１９などの障害物や、始動ゲート１５、一般入賞口１１、大入賞口１３、アウト口１４、始動ゲート１５、ワープ口１６、始動口１２および普通電動役物１７を有する電動役物構成部材（入賞装置）１８などの遊技部材が配置されている。
【００３６】
スペーサ１０は、遊技盤２の後方（背面側）に配設されるとともに、液晶表示装置（表示装置）２１の前方（前面側）に配設される。つまり、スペーサ１０は、遊技盤２と液晶表示装置２１によって扶持される。このスペーサ１０は、透光性を有した部材で形成されており、中央に大きな貫通孔１０ａが設けられている。そして、スペーサ１０は、貫通孔１０ａに、遊技に関する所定の情報を報知する電飾ユニット２６等が納められるような厚みを提供する。
【００３７】
また、スペーサ１０の背面には、上述した液晶表示装置２１が配置されている。なお、液晶表示装置２１の表示領域２１ａは、所定の演出画像（例えば、装飾図柄が変動表示する演出画像等）を表示する領域である。
【００３８】
また、遊技盤２およびスペーサ１０が透光性を有した部材で形成された本実施の形態では、液晶表示装置２１の表示領域２１ａが遊技盤２およびスペーサ１０を通して視認可能に配置されている。ここで、液晶表示装置２１にかえて、例えばＣＲＴ（陰極線管）あるいはプラズマディスプレイ等を用いることもできる。
【００３９】
ここで、一般入賞口１１は、遊技球が入賞すると所定の数の遊技球が払い戻される装置、通過ゲート１３は、遊技球が通過したことを契機として、電飾ユニット２６における普通図柄を変動および停止させるための装置、大入賞口１３は、電飾ユニット２６における特別図柄や液晶表示装置２１における装飾図柄が、それぞれ予め設定された態様で停止し、そして、これに伴い特別遊技状態（所謂、大当り）に移行した場合に開放状態となる装置である。
【００４０】
ワープ口１６は、流入した遊技球を、遊技盤２の背面側に配置されているワープ球通路１６ａへと導く装置である。
【００４１】
ワープ球通路１６ａに導かれた遊技球は、ワープ球通路１６ａを転動流下し、始動口１２の上方に位置するワープ出口１６ｂから排出される。つまり、ワープ口１６に流入した遊技球は、ワープ球通路１６ａによって始動口１２へと案内される。また、本実施の形態のワープ出口１６ｂの位置は、遊技領域２ａのほぼ中央である。
【００４２】
ここで、ワープ球通路１６ａは、遊技盤２の背面側において、透光性を有する遊技盤２の前方から視認可能に配置されている（図２参照）。また、当該ワープ球通路１６ａは、少なくとも一部が透光性を有している。
【００４３】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、電飾ユニット２６における普通図柄が、「当り」を意味する態様で停止した場合）に、所定時間（例えば、０．３秒間）だけ開いて遊技球を受け入れ易い状態に切り換えられる。
【００４４】
また、始動口１２および上記普通電動役物１７の受け入れ口１７ａは、遊技球が入賞すると電飾ユニット２６における特別図柄や、液晶表示装置２１における装飾図柄が、それぞれ変動および停止する契機となる装置である。さらに、始動口１２や受け入れ口１７ａに遊技球が入賞すると所定の数の遊技球が払い戻されるようになっている。
【００４５】
アウト口１４は、遊技領域２ａの最下位置付近に設けられ、当該最下位置付近に流下してきた遊技球が入球するようになっている。
【００４６】
すなわち、アウト口１４は、一般入賞口１１、大入賞口１３、始動口１２、普通電動役物１７の受け入れ口１７ａの何れにも入賞しなかった遊技球が流入して回収される装置である。
【００４７】
ガラス扉４の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００４８】
下皿５ｂの右側には、遊技領域２ａへ遊技球を発射する際に回動操作される発射ハンドル７が設けられている。発射ハンドル７には遊技球の発射を停止するストップボタン（図示せず）が設けられている。
【００４９】
そして、遊技者が上記発射ハンドル７を回動して打ち出し操作をすることにより、上皿５ａ中の遊技球が、発射球供給装置（図示せず）により本体枠３ａの背面に配設された発射装置（図示せず）に供給されて、当該発射装置により遊技領域２ａに発射される。
【００５０】
ラベルシート５０は、表面側に遊技機性能情報が視覚的に表示されたものであり、その裏面は、粘着剤等により貼着面４５に貼着される。遊技機性能情報としては、例えば「ＣＲ○○○」等の当該遊技機の型式名の他、「低確率１／３１０．５」の大当りの当選確率、「５＆１５」の獲得遊技球数（賞球数）等が表示されている（図３および図９参照）。
【００５１】
大当りの当選確率等は、通常確率状態での遊技において、電飾ユニット２６における特別図柄や液晶表示装置２１における装飾図柄が、それぞれ予め設定された態様で停止して特別遊技状態（所謂、大当り）が発生する確率であって、例えば特別図柄や装飾図柄が３１０．５回の変動をした場合に１回の確率で特別遊技状態が発生する場合には、「低確率１／３１０．５」と表示される。
【００５２】
獲得遊技球数（賞球数）は、遊技球が一般入賞口１１、始動口１２、大入賞口１３、普通電動役物１７の受け入れ口１７ａ等に入賞した場合に、その１入賞につき賞球払い出し手段により払い出される賞球数であって、例えば一般入賞口１１、始動口１２、普通電動役物１７の受け入れ口１７ａ等の１入賞に対する賞球数が５個で、大入賞口１３の１入賞に対する賞球数が１５個の場合には「５＆１５」と表示される。
【００５３】
なお、これらの遊技機性能情報は単なる例示であり、一種類または複数種類の情報を表示する等、遊技機１の所定の性能情報をラベルシート５０の表面側に視覚的に表示しておけばよく、前述の例示以外の情報を表示することも可能である。
【００５４】
さらに、ラベルシート５０の形状は、貼着ベース４２に後述する切欠き４３が形成されていない場合の貼着面４５に合った形状であることが望ましいが、本発明においては、特にラベルシート５０の形状を限定するものではない。
【００５５】
次に、外発射レール部（発射レール部）３１、内発射レール部（発射レール部）３２、サイドレール部３３等のガイドレール３０を構成する部材について説明する。
【００５６】
外発射レール部３１は、遊技領域２ａと対向する帯板部３１ａと、帯板部３１ａを支えるとともに基板や装飾部材等が搭載される基盤部３１ｂとから構成され、帯板部３１ａは、遊技領域２ａの左側下端から右側上端へと緩やかに湾曲して形成されている。内発射レール部３２は、外発射レール部３１の内側のレールであり、遊技領域２ａの中央の下端から左側上部近傍へと緩やかに湾曲して形成された帯板部３２ａを有している。
【００５７】
ここで、外発射レール部３１の帯板部３１ａと内発射レール部３２の帯板部３２ａとの間には、発射ハンドル７の発射操作により発射された遊技球を遊技領域２ａへと案内するための球誘導通路３５が形成されている。
【００５８】
サイドレール部３３は、遊技領域２ａと対向する帯板部３３ａと、帯板部３３ａを支えるとともに基板や装飾部材等が搭載される基盤部３３ｂとから構成され、帯板部３３ａは、遊技領域２ａの右側に配置され、内発射レール部３２の下端部３２ｃから転動方向変更部材４０まで緩やかに湾曲して形成されている。
【００５９】
ここで、サイドレール部３３の下端には、内発射レール部３２の下端部３２ｃを挿入可能な凹部３３ｃ（図３乃至図７参照）が形成されており、当該凹部３３ｃに、内発射レール部３２の下端部３２ｃを挿入することにより、サイドレール部３３と内発射レール部３２とを組み合わせることができる（図３乃至図５参照）。
【００６０】
外発射レール部３１における帯板部３１ａは、その右端部３１ｃに、サイドレール部３３の上部に形成された転動方向変更部材４０（図３乃至図１１）に係止される係止部（図示せず）が形成されており、当該係止部と転動方向変更部材４０とを係止させることにより、外発射レール部３１とサイドレール部３３とを組み合わせることができる（図３乃至図５参照）。なお、上述した外発射レール部３１の帯板部３１ａ、内発射レール部３２の帯板部３２ａおよびサイドレール部３３の帯板部３３ａ、外発射レール部３１の基盤部３１ｂ、サイドレール部３３の基盤部３３ｂは、それぞれ透光性を有する合成樹脂等（例えば、アクリル樹脂、ポリカーボネート樹脂、メタクリル樹脂等）により構成されている。但し、帯板部３１ａ、帯板部３２ａ、帯板部３３ａ、基盤部３１ｂ、基盤部３３ｂは、それぞれ他の部材で構成されていてももちろんよい。例えば、帯板部３１ａ、帯板部３２ａ、帯板部３３ａ、基盤部３１ｂ、基盤部３３ｂの全てまたは少なくとも何れかは、透光性を有しない合成樹脂で構成されていてもよいし、ステンレスにより構成されていてもよい。
【００６１】
また、本実施の形態の外発射レール部３１および内発射レール部３２は、主に、発射ハンドル７の発射操作により発射された遊技球を遊技領域２ａへと案内する役割を有しており、一方、サイドレール部３３は、主に、遊技領域２ａへと発射された遊技球を、中央方向に戻す役割を有している。
【００６２】
具体的には、サイドレール部３３は、遊技領域２ａの外周に沿って転動する遊技球を、転動方向変更部材４０にて撥ねることで、遊技領域２ａにおける遊技球が外部へと飛び出ることを防いでいる。
【００６３】
すなわち、本実施の形態のガイドレール３０は、遊技球の衝突が多く老朽率の高い転動方向変更部材４０を含むサイドレール部３３と、比較的遊技球の衝突が少なく老朽率の低い発射レール部（外発射レール部３１、内発射レール部３２）とを組み合わせて構成されている。
【００６４】
このように、本実施の形態では、サイドレール部３３と発射レール部（外発射レール部３１、内発射レール部３２）とは一体形成されていないため、これらサイドレール部３３と発射レール部（外発射レール部３１、内発射レール部３２）とを個別に交換することが可能となっている。これにより、老朽率の低い発射レール部（外発射レール部３１、内発射レール部３２）の交換回数を抑えることができる。
【００６５】
次に、サイドレール部３３の上部に形成された転動方向変更部材４０について説明する。
【００６６】
転動方向変更部材４０は、図３乃至図１１に示すように、上方に向かって幅広に形成されており、その表面側にはラベルシート５０の貼着が可能な貼着ベース４２が設けられている。
【００６７】
また、貼着ベース４２の背後、すなわち、転動方向変更部材４０の裏面側には、ゴム等の弾性体４１が搭載される搭載スペース４７（図６、図１０、図１１参照）が形成されている。
【００６８】
ここで、当該搭載スペース４７に弾性体４１を搭載した転動方向変更部材４０が、図９に示すように遊技領域２ａの右側上部に配置されると、遊技領域２ａの外周に沿って転動する遊技球４００が当該弾性体４１に衝突して、その転動方向を異ならせるようになる（すなわち、転動方向変更部材４０は、遊技領域２ａにおける遊技球が外部へと飛び出ることを防いでいる）。
【００６９】
なお、本実施の形態において、転動方向変更部材４０は、サイドレール部３３と一体成形されていてもよいし、別体にて形成されていてもよい。
【００７０】
次に、本発明の要部であり、転動方向変更部材４０の表面側に設けられた貼着ベース４２について説明する。
【００７１】
貼着ベース４２は、合成樹脂製の成形体により構成され、後端側が遊技盤２の前面や弾性体４１に当接する周壁部４８と、当該周壁部４８の前端側において遊技盤２の前面と略平行に形成され、ラベルシート５０が貼着される貼着面４５と、貼着面４５の外周（周縁部）から前側に突出する凸部４４とを一体に設けている。この場合、ラベルシート５０を貼着面４５に貼着する際には、ラベルシート５０の外周縁を当該凸部４４に沿わせて貼ることができ、ラベルシート５０の貼着面４５への貼着が容易となる。
【００７２】
ここで、貼着ベース４２における周壁部４８のうち、外発射レール部３１の右端部３１ｃに沿う位置に配置される壁（以下、「周壁部４８ａ」という）には、湾曲形状の切欠き（切欠き部）４３が形成されている。なお、切欠き４３は、少なくとも指の先端部分を挿入可能な程度の大きさであることが望ましい。
【００７３】
そして、この切欠き４３によって、貼着面４５の一部が欠けた状態となり、貼着面４５にラベルシート５０を貼着した場合において、ラベルシート５０の端部における切欠き４３に対応する部分が、貼着面４５からはみだして貼着ベース４２と非接触の状態となる（図１０、図１２および図１３参照）。なお、図１２および図１３は、図１０のＶ−Ｖ線に沿った貼着ベース１２の断面を示している。本構成によれば、この非接触の部分により、ラベルシート５０と貼着ベース４２との間に指７０を挿入可能な程度の隙間４６ａが形成される。
【００７４】
このように、本構成によれば、ラベルシート５０を貼着面４５に貼着した時点で、貼着ベース４２とラベルシート５０の端部の一部との間に、指７０を挿入可能な隙間４６ａが形成される。
【００７５】
貼着面４５に貼着されたラベルシート５０は、この隙間４６ａに指７０を挿入して当該ラベルシート５０の端部のうち切欠き４３によってはみだした部分を把持し（図１３（ａ）参照）、そして、当該指７０を、ラベルシート５０の端部を把持したまま矢印Ｙ方向に動かすことによって剥がすことができる（図１３（ｂ）参照）。
【００７６】
これによれば、ラベルシート５０を貼着ベース４２から引き剥がす際において、当該ラベルシート５０を引き剥がすための取っ掛かりとなる隙間を、爪を立てる等により作り出す手間を省くことができ、ラベルシート５０の引き剥がし作業を容易にすることができる。
【００７７】
また、本実施の形態によれば、凸部４４は、貼着面４５の外周のうち、切欠き４３に沿った部分にも設けられている（図４乃至図８、図１１乃至図１３参照）。そのため、ラベルシート５０を貼着ベース４２の貼着面４５に貼着した場合、図１２（ｂ）に示すように、凸部４４における切欠き４３に沿った部分が被覆される。この場合、ラベルシート５０は、当該凸部４４と貼着面４５との間に形成される段差によって盛り上がるため、ラベルシート５０と貼着面４５との間に隙間４６ｂが形成される。
【００７８】
これによれば、ラベルシート５０と貼着面４５とが接着する面積を減らすことができるため、ラベルシートの引き剥がし作業をより容易に行うことができる。
【００７９】
さらに、ラベルシート５０が貼着される貼着ベース４２は、遊技領域２ａの右側上部に配置された転動方向変更部材４０に設けられているため（つまり、貼着ベース４２は、遊技盤２の比較的外側に位置しているため）、図２および図３に示すように、貼着ベース４２と遊技盤２の外枠２ｂとが接近するようになる。これにより、遊技盤２の外枠２ｂを把持した場合、その把持する手の指が当該貼着ベース４２に届き易くなり、遊技盤２の交換作業と、所定の遊技情報が視覚的に表示されたラベルシート５０の引き剥がし作業とを並行して行うことも可能となる。
【００８０】
さらに、転動方向変更部材４０が配置される場所である遊技領域２ａの右側上部は、遊技機１におけるガラス扉４の開放端側に位置しているので（図２参照）、当該転動方向変更部材４０に設けられる貼着ベース４２は、ガラス扉４を開放して遊技盤２を露出させた際において、手が届き易いものとなる。そのため、当該貼着ベース４２に貼着されたラベルシート５０の引き剥がし作業をより容易に行うことが可能となる。
【００８１】
なお、本実施の形態において、貼着ベース４２は、転動方向変更部材４０と一体成形されていてもよいし、別体にて形成されていてもよい。
【００８２】
また、本実施の形態において、貼着ベース４２は、合成樹脂製の成形体により構成されていたが、これに限られず、他の部材により構成されていてもよい。例えば、貼着ベース４２は、透光性を有する合成樹脂（例えば、アクリル樹脂、ポリカーボネート樹脂、メタクリル樹脂等）で構成されていてもよいし、ステンレスにより構成されていてもよい。  
【００８３】
また、貼着面４５の後方や近傍等にＬＥＤ等の発光部材を配置して当該発光部材を発光させることにより、貼着面４５に貼着されたラベルシート５０をより目立たせるようにしてもよい。この場合、ラベルシート５０に視覚的に表示される遊技機性能情報を、より確実に遊技者に確認させることができる。
【００８４】
以上、本発明の実施の形態を説明したが、これは本発明を具体的に例示したに過ぎず、特に本発明を限定するものではない。
【００８５】
本実施の形態において、貼着ベース４２が設けられた転動方向変更部材４０は、遊技領域２ａの右側上部に配置されるようになっていたが、これに限られず、他の位置に配置されるようになっていてもよい。
【００８６】
また、本実施の形態の外発射レール部３１の右端部３１ｃは、転動方向変更部材４０と係止するようになっていたが、これに限られず、遊技盤２と係止するようになっていてもよいし、当該係止が行われずに、単に転動方向変更部材４０の近傍に配置されるだけの状態になっていてもよい。
【００８７】
また、外発射レール部３１の右端部３１ｃは、ネジやピン等により転動方向変更部材４０や遊技盤２に固定されるようになっていてもよいし、転動方向変更部材４０や遊技盤２に接着されて固定されるようになっていてもよい。
【００８８】
さらに、転動方向変更部材４０、貼着ベース４２、貼着面４５、ラベルシート５０等の形状は、本実施の形態にて示した形状に限られず、他の形状を呈していてももちろんよい。例えば、ラベルシート５０は四角形状や円形状であってもよい。
【００８９】
また、本実施の形態の弾性体４１は、クッション効果を高めるために円柱形のゴムからなっている。但し、本発明においては、弾性体４１の材質は特に限定されず、例えば、当該弾性体４１は、エラストマーもしくは汎用のプラスチックから構成されていてもよい。また、本発明においては、弾性体４１の形状等も特に限定されない。
【００９０】
因みに、当該弾性体４１の材質、厚み、形状等を変更することで、遊技球を導く方向を調整することができる。
【００９１】
また、本実施の形態における凸部４４は、貼着面４５の外周（周縁部）から前側に突出して設けられていたが、本発明において、凸部４４は、貼着面４５の外周の全てに設けられていてもよいし、一部にのみ設けられていてもよい。
【００９２】
また、本実施の形態のサイドレール部３３は、主に、遊技領域２ａへと発射された遊技球を中央方向に戻す役割を有していたが、本発明のサイドレール部３３は、少なくとも、遊技領域２ａへと発射された遊技球が当該遊技領域２ａの外部へと飛び出ることを防ぐ役割を有してさえいればよい。
【００９３】
以上説明したように、本実施の形態によれば、貼着ベース４２には、ラベルシート５０の端部の少なくとも一部を非接触にさせる切欠き（切欠き部）４１部が形成されているので、所定の情報（例えば、遊技機性能情報等）が視覚的に表示されたラベルシート５０を貼着ベース４２に貼着した場合には、当該ラベルシート５０の端部の少なくとも一部を、貼着ベース４２と非接触にさせることができる。
【００９４】
この場合、貼着ベース４２とラベルシート５０の端部の一部との間には、初めから指７０を挿入可能な隙間４６ａが形成されるようになるので、ラベルシート５０を剥がすための隙間を作る手間を省くことができ、ラベルシート５０の引き剥がし作業を容易にすることができる。
【００９５】
このように、本発明では、遊技機性能情報が視覚的に表示されたラベルシート５０の引き剥がし作業が容易となっているので、当該所定の遊技機性能情報が視覚的に表示された遊技盤２やサイドレール部３３等を、異なる性能の機種に対して再利用することが容易となる。
【００９６】
さらに、本構成によれば、ラベルシート５０が貼着される貼着ベース４２は、遊技領域２ａの外周に配置されたガイドレール３０の一部に設けられているため（つまり、貼着ベース４２は、遊技盤２の比較的外側に位置しているため）、遊技盤２の外枠２ｂを把持する手の指が当該貼着ベース４２に届き易くなる。これにより、遊技盤２の交換作業と、所定の遊技情報が視覚的に表示されたラベルシート５０の引き剥がし作業とを並行して行うことができ、遊技盤２等の再利用をより容易に行うことができる。
【００９７】
さらに、本実施の形態によれば、ラベルシート５０が貼着される貼着ベース４２は、遊技領域２ａの外周に沿って転動する遊技球の転動方向に影響を与える転動方向変更部材４０に設けられているので、当該ラベルシート５０に視覚的に表示される遊技機性能情報が、遊技球の転動方向に注目する遊技者の目に留まり易くなる。そのため、本発明によれば、ラベルシート５０に視覚的に表示される遊技機性能情報を、より確実に遊技者に確認させることができる。
【００９８】
また、本実施の形態によれば、転動方向変更部材４０は、遊技領域２ａの右側上部、すなわち、遊技機におけるガラス扉４の開放端側に配置されている。すなわち、転動方向変更部材４０は、ガラス扉４を開放して遊技盤２を露出させた際において、手が届き易い位置に配置されている。そのため、当該転動方向変更部材４０に設けられた貼着ベース４２に貼着されたラベルシート５０の引き剥がし作業をより容易に行うことができ、所定の遊技機性能情報が視覚的に表示された遊技盤２等の異なる性能の機種への再利用を、より容易に行うことができる。
【００９９】
また、本実施の形態によれば、ガイドレール３０は、遊技球の衝突が多く老朽率の高い転動方向変更部材４０を含むサイドレール部３３と、比較的遊技球の衝突が少なく老朽率の低い発射レール部（外発射レール部３１，内発射レール部３２）とを組み合わせて構成されている。すなわち、本発明では、サイドレール部３３と発射レール部（外発射レール部３１，内発射レール部３２）とは一体形成されていないため、これらサイドレール部３３と発射レール部（外発射レール部３１，内発射レール部３２）とを個別に交換することが可能となる。これにより、老朽率の低い発射レール部（外発射レール部３１，内発射レール部３２）の交換回数を抑えることができ、部品を節約することが可能となる。
【０１００】
さらに、本実施の形態によれば、ラベルシート５０の貼着面４５の外周の少なくとも一部には凸部４４が設けられている。これにより、ラベルシート５０の外周縁を当該凸部４４に沿わせて貼ることができ、ラベルシート５０の貼着が容易となるとともに、当該ラベルシート５０を本来の貼着スペースに正確に貼着することが可能となる。
【０１０１】
さらに本構成によれば、当該凸部４４の少なくとも一部がラベルシート５０に被覆された場合、上記凸部４４と貼着面４５との間に形成される段差によって、ラベルシート５０と貼着ベース４２との間に隙間４６ｂを作ることができる。これにより、ラベルシート５０の引き剥がし作業をより容易に行うことができる。
【０１０２】
また、本実施の形態によれば、凸部４４のうち切欠き４３に沿った部分がラベルシート５０に被覆されるようになっているため、当該凸部４４により形成される隙間４６ｂと、切欠き４３により形成される隙間４６ａとの相乗効果によって、ラベルシート５０の引き剥がし作業をより容易に行うことができる。
【産業上の利用可能性】
【０１０３】
以上の説明においては、本発明をパチンコ遊技機本体が遊技台に取り付けられた遊技機に適用した場合が説明されているが、本発明はこれに限定されるものではなく、パチスロ機、雀球、スマートボールあるいはゲームセンターに設置された各種ゲーム機など、種々の遊技機に適用することが可能である。
【図面の簡単な説明】
【０１０４】
【図１】本実施の形態に係る遊技機を示す斜視図である。
【図２】図１に示した遊技機の分解斜視図である。
【図３】図２に示した遊技盤の正面図である。
【図４】本実施の形態に係るガイドレールを示す斜視図である。
【図５】図４に示したガイドレールの正面図である。
【図６】本実施の形態に係るサイドレール部を示す斜視図である。
【図７】図６に示したサイドレール部の正面図である。
【図８】本実施の形態に係る転動方向変更部材を示す斜視図である。
【図９】図８に示した転動方向変更部材の正面図である。
【図１０】貼着面にラベルシートが貼着された貼着ベースを示す斜視図である。
【図１１】貼着面にラベルシートが貼着されていない貼着ベースを示す斜視図である。
【図１２】ラベルシートの貼着時における貼着ベースを示す断面図である。
【図１３】ラベルシートの引き剥がし時における貼着ベースを示す断面図である。
【符号の説明】
【０１０５】
１  パチンコ遊技機（遊技機）
２  遊技盤
２ａ  遊技領域
２ｂ  外枠
３  遊技機本体
３ａ  本体枠
３ｂ  ベース枠
４  ガラス扉
４ａ  ガラス板
５  皿ユニット
５ａ  上皿
５ｂ  下皿
７  発射ハンドル（発射手段）
８  シャッタレバー
８ａ，８ｂ  スピーカ
１０  スペーサ
１０ａ  貫通孔
１１  一般入賞口
１２  始動口
１３  大入賞口
１４  アウト口
１５  始動ゲート
１６  ワープ口
１６ａ  ワープ球通路
１６ｂ  ワープ出口
１７  普通電動役物
１７ａ  受け入れ口
１８  電動役物構成部材
２１  液晶表示装置
２１ａ  表示領域
３０  ガイドレール
３１  外発射レール部（ガイドレール、発射レール部）
３１ａ  帯板部
３１ｂ  基盤部
３１ｃ  右端部
３２  内発射レール部（ガイドレール、発射レール部）
３２ａ  帯板部
３２ｃ  下端部
３３  サイドレール部（ガイドレール）
３３ａ  帯板部
３３ｂ  基盤部
３３ｃ  凹部
３５  球誘導通路
４０  転動方向変更部材
４１  弾性体
４２  貼着ベース
４３  切欠き（切欠き部）
４４  凸部
４５  貼着面
４６ａ，４６ｂ  隙間
４７  搭載スペース
４８  周壁部
４８ａ  周壁部
５０  ラベルシート
７０  指
Ｙ  矢印
【図１】
2007307147.tif 000003
【図２】
2007307147.tif 000004
【図３】
2007307147.tif 000005
【図４】
2007307147.tif 000006
【図５】
2007307147.tif 000007
【図６】
2007307147.tif 000008
【図７】
2007307147.tif 000009
【図８】
2007307147.tif 000010
【図９】
2007307147.tif 000011
【図１０】
2007307147.tif 000012
【図１１】
2007307147.tif 000013
【図１２】
2007307147.tif 000014
【図１３】
2007307147.tif 000015